(57)【要約】【課題】複数枚の硬貨を円滑に処理することが可能な硬貨処理装置を提供する。【解決手段】硬貨処理装置は、複数枚の硬貨を上下に重ならない状態で載置できる載置領域２１と、硬貨が収納される第１収納庫３１および第２収納庫３２と、載置領域２１に載置された複数枚の硬貨を、それら硬貨が第１収納庫３１または第２収納庫３２に導かれるように振り分ける硬貨振分ユニット１００と、載置領域２１に載置された複数枚の硬貨が、それらの硬貨の種類に応じて第１収納庫３１または第２収納庫３２に導かれるよう、硬貨振分ユニット１００を制御する制御部と、を備える。【選択図】図３
2020160631.tif 000002
【特許請求の範囲】
【請求項１】
複数枚の硬貨を載置できる載置領域と、
硬貨が収納される複数の収納部と、
前記載置領域に載置された複数枚の硬貨を、何れかの前記収納部に導かれるように振り分ける振分部と、
前記載置領域に載置された複数枚の硬貨の種類を入力するための入力部と、
前記載置領域に載置された複数枚の硬貨が、それらの硬貨の種類に応じて何れかの前記収納部に導かれるよう、前記振分部を制御する制御部と、
を備えることを特徴とする硬貨処理装置。
【請求項２】
前記複数の収納部は、第１収納部および第２収納部を備え、
前記第１収納部に導かれる複数枚の硬貨を、これら硬貨が前記第１収納部に収納される前に保留できる第１保留部と、
前記第２収納部に導かれる複数枚の硬貨を、これら硬貨が前記第２収納部に収納される前に保留できる第２保留部と、をさらに備える、
ことを特徴とする請求項１に記載の硬貨処理装置。
【請求項３】
前記制御部は、
所定の操作を受け付けて、前記載置領域に載置された複数枚の硬貨を、前記第１保留部および前記第２保留部のうち、当該複数枚の硬貨の種類に対応する保留部に保留する保留処理を行い、
前記載置領域に載置された複数枚の硬貨を、保留可能な量を超えてしまうために前記対応する保留部に保留できない場合に、前記所定の操作を受け付けない、
ことを特徴とする請求項２に記載の硬貨処理装置。
【請求項４】
前記載置領域に載置された複数枚の硬貨を撮像するための撮像部を、さらに備える、
ことを特徴とする請求項１ないし３の何れか一項に記載の硬貨処理装置。
【請求項５】
前記制御部は、
前記載置領域に載置された複数枚の硬貨に該当する硬貨の種類を設定し、
前記撮像部により撮像された画像に基づいて、前記載置領域に載置された複数枚の硬貨の中に設定された種類と異なる種類の硬貨が含まれていることが判明した場合に、所定の報知を行うための処理を行う、
ことを特徴とする請求項４に記載の硬貨処理装置。
【請求項６】
記憶部を、さらに備え、
前記載置領域は、前記複数枚の硬貨を上下に重ならない状態で載置できるようになっており、
前記制御部は、
前記撮像部により撮像された画像から個々の硬貨の画像を切り出し、
画像が切り出された個々の硬貨に対する金種の入力を受け付け、
切り出された画像と、その画像に対応する硬貨の金種とを紐付けて前記記憶部に記憶する、
ことを特徴とする請求項４または５に記載の硬貨処理装置
【請求項７】
載置領域に載置された複数枚の硬貨について、それら硬貨の種類の入力を受け付け、
それら複数枚の硬貨を、受け付けた種類に応じて、複数の収納部うちの何れかの収納部に導かれるように振分部により振り分ける、
ことを特徴とする硬貨処理方法。
【発明の詳細な説明】
【技術分野】
【０００１】
本発明は、硬貨を処理する硬貨処理装置に関する。また、本発明は、硬貨処理装置に用いて好適な硬貨処理方法に関する。
【背景技術】
【０００２】
従来、損貨（変形硬貨、汚損硬貨）や記念貨等の、市場流通に適さない特殊な硬貨を取り扱う硬貨処理装置が知られている。たとえば、このような硬貨処理装置の一例が、特許文献１に開示されている。
【０００３】
特許文献１の硬貨処理装置では、入金口を介して筐体内部にある入金位置に一枚の硬貨が載置される。載置された硬貨は、入金位置においてカメラで撮像される。そしてこの画像は、硬貨の種類および金種に関する候補とともに表示部の入力画面上に表示される。操作者は、硬貨の画像を見ながら、その硬貨の種類および金種を複数の候補の中から選択する。硬貨の種類および金種が選択されると、これら情報が画像に紐付けられて記憶部に記憶される。その後、硬貨は、損貨であるか記念貨であるかに応じて、損貨箱または記念貨箱に振り分けて収納される。
【先行技術文献】
【特許文献】
【０００４】
【特許文献１】特開２０１５−０１８３０４号公報
【発明の概要】
【発明が解決しようとする課題】
【０００５】
上記の硬貨処理装置では、入金対象の硬貨が複数枚ある場合に、１枚の硬貨が入金位置に載置され、その硬貨が入金位置から移動されて無くなると、次の硬貨が入金位置に載置されるという操作が繰り返される。このため、ユーザにとって、入金操作が面倒であり、入金時間も長く掛かりやすい。
【０００６】
かかる課題に鑑み、本発明は、複数枚の硬貨を円滑に処理することが可能な硬貨処理装置および硬貨処理方法を提供することを目的とする。
【課題を解決するための手段】
【０００７】
本発明の第１の態様は、硬貨処理装置に関する。この態様に係る硬貨処理装置は、複数枚の硬貨を載置できる載置領域と、硬貨が収納される複数の収納部と、前記載置領域に載置された複数枚の硬貨を、何れかの前記収納部に導かれるように振り分ける振分部と、前記載置領域に載置された複数枚の硬貨の種類を入力するための入力部と、前記載置領域に載置された複数枚の硬貨が、それらの硬貨の種類に応じて何れかの前記収納部に導かれるよう、前記振分部を制御する制御部と、を備える。
【０００８】
たとえば、硬貨の種類には、損貨（汚損や変形のある硬貨）および記念貨が含まれる。
【０００９】
上記の構成によれば、操作者は、入金対象となる同じ種類の硬貨が複数枚ある場合に、それら複数枚の硬貨を一度に載置領域に載置することができるので、入金操作が容易となる。
【００１０】
本態様に係る硬貨処理装置において、前記複数の収納部は、第１収納部および第２収納部を備え得る。この場合、前記第１収納部に導かれる複数枚の硬貨を、これら硬貨が前記第１収納部に収納される前に保留できる第１保留部と、前記第２収納部に導かれる複数枚の硬貨を、これら硬貨が前記第２収納部に収納される前に保留できる第２保留部と、をさらに備えるような構成が採られ得る。
【００１１】
上記の構成によれば、載置領域に一度に載置しきれない複数枚の同じ種類の硬貨が入金される場合に、最初に載置領域に載置された硬貨を、第１保留部または第２保留部に保留しておき、載置領域に載置された残りの硬貨と一緒に第１収納部または第２収納部に収納することができる。よって、残りの硬貨を入金しているときには、先の硬貨は保留状態にあるため、このときに必要となれば、全ての硬貨について入金のやりなおしが可能となる。
【００１２】
上記の構成とされた場合、さらに、前記制御部は、所定の操作を受け付けて、前記載置領域に載置された複数枚の硬貨を、前記第１保留部および前記第２保留部のうち、当該複数枚の硬貨の種類に対応する保留部に保留する保留処理を行い、前記載置領域に載置された複数枚の硬貨を、保留可能な量を超えてしまうために前記対応する保留部に保留できない場合に、前記所定の操作を受け付けないような構成とすることができる。
【００１３】
上記の構成とされれば、載置領域に載置された複数枚の硬貨を、容量オーバーにより対応する保留部に保留できないときは、保留のための操作が受け付けられないので、対応する保留部に硬貨が詰まってしまい入金処理が中断されてしまうことが防止される。
【００１４】
本態様に係る硬貨処理装置において、前記載置領域に載置された複数枚の硬貨を撮像するための撮像部を、さらに備えるような構成が採られ得る。
【００１５】
上記の構成とされた場合、さらに、前記制御部は、前記載置領域に載置された複数枚の硬貨に該当する硬貨の種類を設定し、前記撮像部により撮像された画像に基づいて、前記載置領域に載置された複数枚の硬貨の中に設定された種類と異なる種類の硬貨が含まれていることが判明した場合に、所定の報知を行うための処理を行うような構成とされ得る。
【００１６】
上記の構成によれば、操作者は、間違った種類の硬貨を載置領域に載置した場合に、それに気づくことができ、その硬貨を載置領域から取り除くことができる。
【００１７】
また、上記の構成とされた場合、さらに、記憶部が備えられ得る。この場合、前記載置領域は、前記複数枚の硬貨を上下に重ならない状態で載置できるようになっており、前記制御部は、前記撮像部により撮像された画像から個々の硬貨の画像を切り出し、画像が切り出された個々の硬貨に対する金種の入力を受け付け、切り出された画像と、その画像に対応する硬貨の金種とを紐付けて前記記憶部に記憶する。
【００１８】
上記の構成によれば、第１収納部または第２収納部に収納される複数枚の硬貨について、個々の硬貨ごとに、その画像と金種を記憶部に記憶させておくことができる。
【００１９】
本発明の第２の態様は、硬貨処理方法に関する。この態様に係る硬貨処理方法は、載置領域に載置された複数枚の硬貨について、それら硬貨の種類の入力を受け付け、それら複数枚の硬貨を、受け付けた種類に応じて、複数の収納部うちの何れかの収納部に導かれるように振分部により振り分ける。
【００２０】
上記の構成によれば、第１の態様と同様の効果が奏され得る。
【発明の効果】
【００２１】
上記のように、本発明によれば、複数枚の硬貨を円滑に処理することが可能な硬貨処理装置および硬貨処理方法を提供できる。
【００２２】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００２３】
【図１】図１は、実施形態に係る、貨幣処理システムの外観を示す正面図である。
【図２】図２（ａ）、（ｂ）は、実施形態に係る、特殊硬貨処理装置の構成を示す斜視図である。
【図３】図３は、実施形態に係る、特殊硬貨処理装置の構成を示す、図２（ａ）のＡ−Ａ’で切断された断面図である。
【図４】図４（ａ）、（ｂ）は、それぞれ、実施形態に係る、硬貨振分ユニットの構成を示す平面図および背面図である。
【図５】図５（ａ）、（ｂ）は、実施形態に係る、硬貨振分ユニットの動作について説明するための図である。
【図６】図６は、実施形態に係る、特殊硬貨処理装置および操作端末の構成を示すブロック図である。
【図７】図７は、実施形態に係る、損貨等の特殊硬貨の入金処理を示すフローチャートである。
【図８】図８（ａ）〜（ｄ）は、それぞれ、実施形態に係る、特殊硬貨の入金処理の際に操作端末の操作表示部において表示される画面を示す図である。
【図９】図９（ａ）、（ｂ）は、実施形態に係る、硬貨の画像に対して金種を設定するための操作を模式的に示す図である。
【図１０】図１０（ａ）は、実施形態に係る、硬貨振分ユニットにより載置領域の損貨が第１収納庫に振り分けられる様子を示す図であり、図１０（ｂ）は、実施形態に係る、硬貨振分ユニットにより載置領域の記念貨が第２収納庫に振り分けられる様子を示す図である。
【図１１】図１１（ａ）、（ｂ）は、変更例１に係る、特殊硬貨処理装置の構成を示す斜視図である。
【図１２】図１２は、変更例１に係る、特殊硬貨処理装置の構成を示す、図１１（ａ）のＡ−Ａ’で切断された断面図である。
【図１３】図１３（ａ）〜（ｃ）は、変更例１に係る、第１保留ユニット（第２保留ユニット）の構成を示す平面図である。
【図１４】図１４（ａ）、（ｂ）は、変更例１に係る、第１保留ユニット（第２保留ユニット）の構成を示す断面図である。
【図１５】図１５は、変更例１に係る、特殊硬貨の入金処理を示すフローチャートである。
【図１６】図１６（ａ）は、変更例１に係る、入金処理画面を示す図であり、図１６（ｂ）は、変更例１に係る、入金処理画面にポップアップ表示された報知画面を示す図である。
【図１７】図１７（ａ）〜（ｆ）は、変更例１に係る、載置領域に載置された複数枚の硬貨が、硬貨振分ユニットにより振り分けられて第１保留部または第２保留部に保留される様子、および、第１収納庫または第２収納庫に収納される様子を示す図である。
【図１８】図１８は、変更例２に係る、特殊硬貨処理装置の断面図である。
【図１９】図１９（ａ）は、変更例２に係る、硬貨振分ユニットにより載置領域の損貨が第１収納庫に振り分けられる様子を示す図であり、図１９（ｂ）は、変更例２に係る、硬貨振分ユニットにより載置領域の記念貨が第２収納庫に振り分けられる様子を示す図である。
【図２０】図１８は、変更例３に係る、特殊硬貨処理装置の断面図である。
【図２１】図１９（ａ）は、変更例３に係る、硬貨振分ユニットにより載置領域の損貨が第１収納庫に振り分けられる様子を示す図であり、図１９（ｂ）は、変更例３に係る、硬貨振分ユニットにより載置領域の記念貨が第２収納庫に振り分けられる様子を示す図である。
【図２２】図２２は、変更例４に係る、特殊硬貨処理装置の構成を示す斜視図である。
【図２３】図２３（ａ）は、変更例４に係る、枚数重視モードで表示されるセット要求画面を示す図であり、図２３（ｂ）は、変更例４に係る、画質・金種判別重視モードで表示されるセット要求画面を示す図であり、図２３（ｃ）は、変更例４に係る、画質・金種判別重視モードで表示される確認要求画面を示す図である。
【発明を実施するための形態】
【００２４】
以下、本発明の実施形態について、図面を参照して説明する。
【００２５】
本実施形態において、特殊硬貨処理装置７と操作端末８の組合せが、特許請求の範囲に記載の「硬貨処理装置」に対応する。また、第１収納庫３１および第２収納庫３２が、それぞれ、特許請求の範囲に記載の「第１収納部」および「第２収納部」に対応する。さらに、カメラ４０が、特許請求の範囲に記載の「撮像部」に対応する。さらに、硬貨振分ユニット１００が、特許請求の範囲に記載の「振分部」に対応する。さらに、ボタン４２４、４２５が、特許請求の範囲に記載の「入力部」に対応する。さらに、制御部２０５と制御部３０５とにより、特許請求の範囲に記載の「制御部」が構成される。
【００２６】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００２７】
図１は、貨幣処理システム１の外観を示す正面図である。
【００２８】
貨幣処理システム１は、バラ紙幣処理装置２と、束紙幣処理装置３と、バラ硬貨処理装置４と、包装硬貨処理装置５と、有価媒体処理装置６と、特殊硬貨処理装置７と、操作端末８と、貨幣保管装置９と、を備える。
【００２９】
バラ紙幣処理装置２は、バラ紙幣を金種別に収納できる紙幣収納部を有し、バラ紙幣を紙幣収納部へ入金する入金処理や紙幣収納部からバラ紙幣を出金する出金処理を行う。束紙幣処理装置３は、所定枚数（たとえば、１００枚）のバラ紙幣を結束して束紙幣（帯封紙幣）を形成する束紙幣形成部と、束紙幣を収納する束紙幣収納部とを有する。束紙幣処理装置３は、バラ紙幣処理装置２と接続されており、バラ紙幣処理装置２から送られてきたバラ紙幣をもとに束紙幣形成部で束紙幣を生成して外部に投出し、あるいは、生成した束紙幣を束紙幣収納部に収納する。
【００３０】
バラ硬貨処理装置４は、バラ硬貨を金種別に収納できる硬貨収納部を有し、バラ硬貨を硬貨収納部へ入金する入金処理や硬貨収納部からバラ硬貨を出金する出金処理を行う。包装硬貨処理装置５は、所定枚数（たとえば、５０枚）のバラ硬貨を包装して包装硬貨を形成する包装硬貨形成部と、包装硬貨を収納する包装硬貨収納部とを有する。包装硬貨処理装置５は、バラ硬貨処理装置４と接続されており、バラ硬貨処理装置４から送られてきたバラ硬貨をもとに包装硬貨形成部で包装硬貨に生成して外部に投出し、あるいは、生成した包装硬貨を包装硬貨収納部に収納する。
【００３１】
有価媒体処理装置６は、バラ紙幣処理装置２および束紙幣処理装置３で取り扱われない有価媒体の処理を行う。具体的には、有価媒体処理装置６は、損券収納部、有価証券収納部を有し、現在発行されていない紙幣である旧券、市場流通に適さない損券および汚れや破れによってバラ紙幣処理装置２で処理できない損傷券を損券収納部に対して入出金する処理、および、小切手や手形などの特定の有価証券を有価証券収納部に対して入出金する処理を行う。また、有価媒体処理装置６は、新券収納部を有し、未使用の紙幣である新券を新券収納部から出金する処理を行う。
【００３２】
特殊硬貨処理装置７は、損貨（変形貨幣、汚損貨幣）、旧貨、記念貨等の市場流通に適さない特殊な硬貨を取り扱う。これら特殊な硬貨は、バラ硬貨処理装置４では、取り扱うことができない。
【００３３】
操作端末８は、操作表示部３０１と、プリンタ３０２とを備える。ユーザは、操作端末８を用いて、バラ紙幣処理装置２、束紙幣処理装置３、バラ硬貨処理装置４、包装硬貨処理装置５、有価媒体処理装置６、特殊硬貨処理装置７および貨幣保管装置９に対する入金処理のための操作や出金処理のための操作を行う。
【００３４】
貨幣保管装置９は、損貨（変形貨幣、汚損貨幣）、旧貨、記念貨等の市場の流通に適さない特殊な硬貨等の保管に用いられる。また、貨幣保管装置９は、束紙幣処理装置３に収納しきらない束紙幣や包装硬貨処理装置５に収納しきらない包装硬貨の保管に用いられる。
【００３５】
図２（ａ）、（ｂ）は、特殊硬貨処理装置７の構成を示す斜視図である。
【００３６】
特殊硬貨処理装置７は、直方体形状の筐体１０により、外郭が形成される。筐体１０の上部前側に開口１１が形成されている。この開口１１が、シャッター１２により開閉される。図２（ａ）には、開口１１がシャッター１２により閉じられた状態が示され、図２（ｂ）には、開口１１が開放された状態が示されている。シャッター１２は、フレキシブルな構造を有し、筐体１０の左右の内側面に形成されたガイド溝１３に沿って、上下および前後方向に移動可能に筐体１０に支持されている。
【００３７】
シャッター１２が開放されると、硬貨の収容室２０が現れる。収容室２０の底面には、所定の広さを有する方形状の載置領域２１が設けられる。載置領域２１には、複数枚の硬貨を、上下に重ならない状態で載置することができる。載置領域２１の下方には、載置領域２１に載置された硬貨を収納するための第１収納庫３１と第２収納庫３２とが左右に並ぶように設置されている。第１収納庫３１と第２収納庫３２は、前方に引き出すことができる。
【００３８】
本実施形態では、第１収納庫３１に損貨が収納され、第２収納庫３２に記念貨が収納される。よって、載置領域２１には、第１収納庫３１に収納される損貨を複数枚まとめて載置することができ、第２収納庫３２に収納される記念貨を複数枚まとめて載置することができる。
【００３９】
図３は、特殊硬貨処理装置７の構成を示す、図２（ａ）のＡ−Ａ’で切断された断面図である。図４（ａ）、（ｂ）は、それぞれ、硬貨振分ユニット１００の構成を示す平面図および背面図である。図４（ａ）には、仕切壁１５とガイド壁１６とが、硬貨振分ユニット１００とともに描かれている。図４（ｂ）では、便宜上、移動機構１３０の取付板１３６の図示が省略されている。
【００４０】
図３に示すように、特殊硬貨処理装置７は、筐体１０の内部が、仕切板１４で上下に仕切られることにより、上部空間１０ａと下部空間１０ｂとに区画される。下部空間１０ｂに、第１収納庫３１と第２収納庫３２とが配置される。第１収納庫３１と第２収納庫３２は、上面が開口する。仕切板１４には、第１収納庫３１と第２収納庫３２の直上に、それぞれ、開口部１４ａ、１４ｂが形成される。
【００４１】
上部空間１０ａは、仕切壁１５により前後に仕切られ、仕切壁１５の前方に収容室２０が設けられる。仕切壁１５は、収容室２０の後壁を兼ねる。また、上部空間１０ａには、硬貨振分ユニット１００が配置される。硬貨振分ユニット１００は、載置領域２１に載置された複数の硬貨を、それら硬貨が第１収納庫３１または第２収納庫３２に導かれるように振り分ける。
【００４２】
図３、図４（ａ）および（ｂ）に示すように、硬貨振分ユニット１００は、載置部材１１０と、枠部材１２０と、これら載置部材１１０および枠部材１２０を移動させるための移動機構１３０とを含む。載置部材１１０は、方形の板状を有する。枠部材１２０は、方形状を有し、載置部材１１０の上に配置される。載置部材１１０と枠部材１２０は、同じ大きさとなるように形成されている。載置部材１１０と枠部材１２０は、収容室２０の底面に配置される。載置部材１１０における枠部材１２０で囲われた領域が、載置領域２１となる。
【００４３】
載置部材１１０には、後端部の中央部に、後方に突出する固定片１１１が形成される。枠部材１２０には、後面の中央部に、後方に突出する固定片１２１が形成され、前面および後面に、それぞれ２つずつ、軸１２２、１２３が形成される。仕切壁１５には、枠部材１２０および載置部材１１０に対応する位置に、それぞれ、左右方向に延びるスリット状のガイド孔１５ａ、１５ｂが形成される。また、上部空間１０ａには、載置部材１１０および枠部材１２０の前方にガイド壁１６が設けられる。ガイド壁１６には、仕切壁１５のガイド孔１５ａに対向する位置に、左右方向に延びるスリット状のガイド孔１６ａが形成される。
【００４４】
載置部材１１０と枠部材１２０は、仕切壁１５とガイド壁１６との間に挟み込まれる。また、載置部材１１０は、仕切板１４の上に載せられる。載置部材１１０の固定片１１１が、仕切壁１５のガイド孔１５ｂを貫通して仕切壁１５の後方へ延びる。枠部材１２０は、前面の２つの軸１２２がガイド壁１６のガイド孔１６ａに嵌り込み、後面の２つの軸１２３が仕切壁１５のガイド孔１５ａに嵌り込む。枠部材１２０の固定片１２１が、仕切壁１５のガイド孔１５ａを貫通して仕切壁１５の後方へ延びる。載置部材１１０は、仕切板１４の上を左右方向、即ち、第１収納庫３１と第２収納庫３２の並び方向に移動可能であり、枠部材１２０は、前側の軸１２２がガイド孔１６ａに案内され、後側の軸１２３がガイド孔１５ａに案内されて、左右方向に移動可能である。
【００４５】
移動機構１３０は、上部空間１０ａにおける仕切壁１５の後方に配置され、第１プーリ１３１と、第２プーリ１３２と、ベルト１３３と、モータ１３４と、プーリ軸１３５と、取付板１３６を含む。第１プーリ１３１と第２プーリ１３２は、左右方向に所定の間隔を開けて配置される。ベルト１３３は、第１プーリ１３１と第２プーリ１３２の間に架け渡される。ベルト１３３には、載置部材１１０の固定片１１１と枠部材１２０の固定片１２１が取り付けられる。モータ１３４は、第１プーリ１３１に接続され、第１プーリ１３１を回転駆動する。プーリ軸１３５は、第２プーリ１３２を回転可能に支持する。取付板１３６には、モータ１３４とプーリ軸１３５が取り付けられる。取付板１３６は仕切板１４に固定される。
【００４６】
図５（ａ）、（ｂ）は、硬貨振分ユニット１００の動作について説明するための図である。
【００４７】
図５（ａ）に示すように、モータ１３４が前方から見て左回りに回転すると、ベルト１３３が左回りに周回する。これにより、載置部材１１０が右方向に移動し、枠部材１２０が載置部材１１０とは反対に左方向に移動する。一方、図５（ｂ）に示すように、モータ１３４が前方から見て右回りに回転すると、ベルト１３３が右回りに周回する。これにより、載置部材１１０が左方向に移動し、枠部材１２０が載置部材１１０とは反対に右方向に移動する。
【００４８】
図３に示すように、収容室２０の上部には、左右方向の中央部に、載置領域２１の全範囲を画角に含むカメラ４０が設置されている。カメラ４０は、仕切壁１５から前方に延びる取付板１５ｃに取り付けられており、上方から見て載置領域２１のほぼ中心に位置する。載置領域２１に載置された硬貨は、全て、１つのカメラ４０で同時に撮像される。この他、筐体１０の内部には、載置領域２１を照明するための発光ユニット（図示せず）が設置されている。
【００４９】
図６は、特殊硬貨処理装置７および操作端末８の構成を示すブロック図である。
【００５０】
特殊硬貨処理装置７は、撮像処理部２０１と、シャッター駆動部２０２と、ユニット駆動部２０３と、通信部２０４と、制御部２０５と、記憶部２０６と、を備える。
【００５１】
撮像処理部２０１は、制御部２０５からの制御によりカメラ４０を駆動するとともに、カメラ４０からの画像データを処理して制御部２０５に送信する。シャッター駆動部２０２は、シャッター１２を駆動するためのモータおよび駆動回路を備え、制御部２０５からの制御により、シャッター１２を開閉する。ユニット駆動部２０３は、モータ１３４および駆動回路を備え、制御部２０５からの制御により、移動機構１３０、即ち、硬貨振分ユニット１００を駆動する。通信部２０４は、制御部２０５からの制御により、操作端末８の通信部３０４との間で無線方式あるいは有線方式による通信を行う。
【００５２】
制御部２０５は、ＣＰＵ（Central Processing Unit）等の演算回路を備え、記憶部２０６に記憶されたプログラムに従って、撮像処理部２０１、シャッター駆動部２０２、ユニット駆動部２０３および通信部２０４を制御する。記憶部２０６は、ＲＯＭ（Read Only Memory）、ＲＡＭ（Random Access Memory）やハードディスク等の記憶媒体を備え、制御部２０５の制御プログラムを記憶し、また、制御部２０５の制御処理の際にワーク領域として利用される。
【００５３】
操作端末８は、上述した操作表示部３０１およびプリンタ３０２の他、カードリーダ３０３、通信部３０４、制御部３０５および記憶部３０６を備える。
【００５４】
操作表示部３０１は、ディスプレイ３０１ａとタッチセンサ３０１ｂとを備えたタッチパネルで構成される。ディスプレイ３０１ａは、各種情報を表示する。タッチセンサ３０１ｂは、ディスプレイ３０１ａに対するユーザのタッチ操作を検出する。プリンタ３０２は、バラ紙幣処理装置２、束紙幣処理装置３、バラ硬貨処理装置４、包装硬貨処理装置５、有価媒体処理装置６、特殊硬貨処理装置７および貨幣保管装置９に対する入金処理、出金処理等の各種処理の結果を、ジャーナルとして用紙に印字し出力する。
【００５５】
カードリーダ３０３は、ＩＤカードを読み取り、読み取ったデータを制御部３０５に出力する。通信部３０４は、特殊硬貨処理装置７の通信部２０４との間で無線方式あるいは有線方式による通信を行う。この他、通信部３０４は、バラ紙幣処理装置２、束紙幣処理装置３、バラ硬貨処理装置４、包装硬貨処理装置５、有価媒体処理装置６および貨幣保管装置９の各通信部との間で無線方式あるいは有線方式による通信を行う。
【００５６】
制御部３０５は、ＣＰＵ等の演算回路を備え、記憶部３０６に記憶されたプログラムに従って、操作表示部３０１、プリンタ３０２、カードリーダ３０３、通信部３０４を制御する。さらに、制御部３０５は、通信部３０４を介して、バラ紙幣処理装置２、束紙幣処理装置３、バラ硬貨処理装置４、包装硬貨処理装置５、有価媒体処理装置６、特殊硬貨処理装置７および貨幣保管装置９との間で各種の指令や情報のやり取りを行うことにより、これら装置の動作を制御する。
【００５７】
記憶部３０６は、ＲＯＭ、ＲＡＭやハードディスク等の記憶媒体を備え、制御部３０５の制御プログラムを記憶し、また、制御部３０５の制御処理の際にワーク領域として利用される。さらに、記憶部３０６は、損貨および記念貨の参照画像（表面および裏面）と金種とを対応付けた硬貨画像データベース３０６ａを保持している。硬貨画像データベース３０６ａは、硬貨の種類（損貨／記念貨）ごとに準備されている。硬貨画像データベース３０６ａは、カメラ４０により撮像された硬貨の画像の金種を判定する際に、制御部３０５により参照される。
【００５８】
次に、特殊硬貨処理装置７へ特殊な硬貨である損貨および記念貨を入金するための処理について説明する。
【００５９】
図７は、損貨等の特殊硬貨の入金処理を示すフローチャートである。図８（ａ）〜（ｄ）は、それぞれ、特殊硬貨の入金処理の際に操作端末８の操作表示部３０１において表示される画面を示す図である。図７の入金処理は、操作端末８の制御部３０５と特殊硬貨処理装置７の制御部２０５とが連携することにより実行される。
【００６０】
特殊硬貨の入金処理において、操作者は、まず、図８（ａ）に示すメニュー画面４１０を操作する。メニュー画面４１０には、処理項目の選択候補を表示する領域４１１が含まれている。操作者は、領域４１１中の“特殊貨幣”の処理項目を選択した後、領域４１２に含まれた貨幣の種類の中から、処理対象とされる損貨／旧貨および記念貨の項目を選択する。損貨／旧貨および記念貨の項目がハイライト表示される。さらに、領域４１３に、当該硬貨の入金を行うための特殊硬貨処理装置７の画像４１３ａが表示される。操作者は、画像４１３ａを参照することにより、どの装置に対して入金を行えばよいかを円滑に把握できる。その後、操作者は、ボタン４１４を操作する。これにより、図７に示す処理が開始される。
【００６１】
制御部３０５は、特殊硬貨処理装置７の制御部２０５に対して、シャッター１２を開放させる指示を送信する（Ｓ１０１）。この指示を受けて、制御部２０５は、シャッター駆動部２０２を開動作させる。これにより、特殊硬貨処理装置７のシャッター１２が開放される。また、制御部３０５は、操作表示部３０１にセット要求画面４２０を表示させる（Ｓ１０２）。これにより、操作表示部３０１の画面が、図８（ａ）のメニュー画面４１０から図８（ｂ）のセット要求画面４２０に切り替わる。
【００６２】
図８（ｂ）を参照して、領域４２１には、図８（ａ）の領域４１１と同様の画像が含まれる。領域４２２には、特殊硬貨処理装置７への硬貨の投入を促す画像４２２ａが表示される。領域４２３には、特殊硬貨処理装置７に処理対象の硬貨をセットし、硬貨の種類を選択した後、完了の操作を行うことを促すメッセージ４２３ａが含まれる。領域４２３には、硬貨の種類が損貨であるときに操作されるボタン４２４と、硬貨の種類が記念貨であるときに操作されるボタン４２５が含まれる。また、領域４２３には、硬貨のセットが完了したときに操作されるボタン４２６が設けられる。
【００６３】
操作者は、処理対象が複数枚の損貨であれば、それら複数枚の損貨を特殊硬貨処理装置７の載置領域２１に載置し、損貨のボタン４２４を操作する一方、処理対象が複数枚の記念貨であれば、それら複数枚の記念貨を載置領域２１に載置し、記念貨のボタン４２５を操作する。その後、操作者は、完了のボタン４２６を操作する。
【００６４】
セット要求画面４２０が表示されると、制御部３０５は、種類受付処理を行って損貨のボタン４２４または記念貨のボタン４２５の操作を受け付ける（Ｓ１０３）。制御部３０５は、ボタン４２４が操作されると、処理対象の硬貨の種類を損貨に設定し、ボタン４２５が操作されると、処理対象の硬貨の種類を記念貨に設定する。そして、完了のボタン４２６が操作されると、制御部３０５は、硬貨のセットが完了したと判定する。
【００６５】
硬貨のセットが完了すると（Ｓ１０４：ＹＥＳ）制御部３０５は、特殊硬貨処理装置７の制御部２０５に対して、シャッター１２を閉塞させる指示を送信する（Ｓ１０５）。この指示を受けて、制御部２０５は、シャッター駆動部２０２を閉動作させる。これにより、特殊硬貨処理装置７のシャッター１２が閉塞される。さらに、制御部３０５は、特殊硬貨処理装置７の制御部２０５に対して、硬貨を撮像させる指示を送信する（Ｓ１０６）。この指示を受けて、制御部２０５は、撮像処理部２０１を動作させる。これにより、特殊硬貨処理装置７において、載置領域２１に載置された硬貨が、カメラ４０により撮像される。こうして撮像された画像のデータが、通信部２０４、３０４を介して、特殊硬貨処理装置７から操作端末８に送信される。制御部３０５は、受信したデータを、記憶部３０６に記憶させる。
【００６６】
次に、制御部３０５は、受信した画像のデータを処理して、当該画像に含まれる各硬貨の画像を切り出す（Ｓ１０７）。このとき、制御部３０５は、切り出した各硬貨の画像に対して歪み補正を行い、真円に近い各硬貨の画像を取得する。そして、制御部３０５は、歪み補正後の各硬貨の画像と、硬貨画像データベース３０６ａに保持された参照画像とを照合して、各硬貨の画像の金種を識別する（Ｓ１０８）。
【００６７】
具体的には、制御部３０５は、各硬貨の画像について、マッチング度合いが所定の閾値以上で且つ最高の参照画像を硬貨画像データベース３０６ａから抽出し、この参照画像に対応付けられた金種を、当該硬貨の画像に割り当てる。このとき、制御部３０５は、各硬貨の画像に割り当てられた参照画像が、損貨と記念貨の何れの種類に属するかを示す区分を、各硬貨の画像にさらに割り当てる。また、マッチング度合いが閾値以上の参照画像がない硬貨の画像については、金種が不明との識別結果が割り当てられる。
【００６８】
こうして各硬貨の画像について金種を識別した後、制御部３０５は、載置領域２１に載置された硬貨の中に、間違った種類の硬貨が含まれてないかの判定を行う（Ｓ１０９）。すなわち、制御部３０５は、各硬貨の画像に割り当てられた硬貨の種類の区分を参照し、セット要求画面４２０において設定された硬貨の種類でない種類の硬貨の画像があれば、間違った種類の硬貨が混在していると判定する。
【００６９】
間違った種類の硬貨が混在している場合（Ｓ１０９：ＹＥＳ）、制御部３０５は、図８（ｃ）に示す確認要求画面４３０を操作表示部３０１に表示させる（Ｓ１１０）。
【００７０】
図８（ｃ）を参照して、領域４３１には、図８（ａ）の領域４１１と同様の画像が含まれる。領域４３２には、カメラ４０による全体の撮像画像４３２ａが表示され、その中で種類が間違っている硬貨の画像が円４３２ｂで囲まれる。領域４３３には、違う種類の硬貨が混在していること、および、硬貨の再セットを行うことを促すメッセージ４３３ａと、ボタン４３４が含まれる。操作者は、領域４３２の撮像画像４３２ａと領域４３３のメッセージ４３３ａを参照して、違う種類の硬貨の混在の発生と、その硬貨の載置領域２１における位置を把握した後、ボタン４３４を操作する。これにより、制御部３０５は、操作者による確認が完了したと判定する（Ｓ１１１：ＹＥＳ）。
【００７１】
これに応じて、制御部３０５は、処理をステップＳ１０１に戻して、ステップＳ１０１以降の処理を再度実行する。これにより、特殊硬貨処理装置７のシャッター１２が開放されて、間違った種類の硬貨を取り除くことが可能となる。操作者は、間違った種類の硬貨を取り除くと、上記と同様の操作を行う。
【００７２】
間違った種類の硬貨が混在していない場合（Ｓ１０９：ＮＯ）、制御部３０５は、図８（ｄ）に示す入金処理画面４４０を、操作表示部３０１に表示させる（Ｓ１１２）。
【００７３】
図８（ｄ）を参照して、入金処理画面４４０は、領域４４１、４４２と、ボタン４４３、４４４とを含んでいる。領域４４１には、硬貨の入金結果４４１ａが金種ごとに表示される。領域４４２には、撮像画像から切り出された各硬貨の画像（平面画像）４４２ａが表示される。表示される各硬貨の画像４４２ａは、上述の歪み補正後の画像である。
【００７４】
硬貨の各画像４４２ａの直下の位置に、各画像の金種を示す項目４４２ｂが表示される。項目４４２ｂは、硬貨に係る情報の一つである金種を入力するために制御部３０５に設定された、視認可能な（画像で表現された）入力領域である。入金処理画面４４０の表示開始時には、図７のステップＳ１０８で識別された各硬貨の画像４４２ａの金種が、最初の候補として項目４４２ｂに表示される。ステップＳ１０８で金種が不明と判定された硬貨の画像４４２ａには、“？”の記号が項目４４２ｂに表示される。“？”の記号が付された画像４４２ａ以外の画像４４２ａについて、金種ごとに枚数が計数され、計数結果が、入金結果４４１ａとして、領域４４１に表示される。なお、領域４４１に、金種が不明の硬貨の枚数が表示されてもよく、合計金額が表示されてもよい。領域４４２には、画像４４２ａをスクロールさせるためのスクロールバー４４２ｃが設けられている。
【００７５】
なお、金種を示す項目４４２ｂは、必ずしも、各画像４４２ａの直下に配置されなくてもよく、画像４４２ａに対応付けられた形態であれば、他の位置に配置されてもよい。たとえば、画像４４２ａの一部に重なるように項目４４２ｂが配置されてもよい。
【００７６】
操作者は、項目４４２ｂに対する操作により、各硬貨の画像４４２ａの金種を設定（入力）できる。
【００７７】
図９（ａ）、（ｂ）は、硬貨の画像４４２ａに対して金種を設定するための操作を模式的に示す図である。
【００７８】
たとえば、金種が不明と識別された画像４４２ａに対して金種を設定する場合、操作者は、まず、当該画像４４２ａを参照して、当該画像４４２ａの硬貨の金種を目視により確認する。次に、操作者は、図９（ａ）に示すように、当該画像４４２ａに対応付けられた項目４４２ｂに指でタッチし、そのまま指を下方にドラッグ（スライド）させる。これにより、ドラッグの距離に応じて項目４４２ｂに表示される金種が変化する。
【００７９】
たとえば、図７のステップＳ１０３で硬貨の種類が損貨である設定がなされた場合、指を所定距離だけドラッグさせると、項目４４２ｂの金種が１円となり、さらに指を所定距離だけドラッグさせると、項目４４２ｂの金種が５円となる。その後、同様に、指を所定距離だけドラッグさせるごとに、項目４４２ｂの金種が、１０円、５０円、１００円、５００円と変化する。図７のステップＳ１０３で硬貨の種類が記念貨である設定がなされた場合、たとえば、指を所定距離だけドラッグさせると、項目４４２ｂの金種が１００円となり、さらに指を所定距離だけドラッグさせると、項目４４２ｂの金種が５００円となる。その後、同様に、指を所定距離だけドラッグさせるごとに、項目４４２ｂの金種が、千円、１万円、５万円、１０万円と変化する。指を逆方向（上方）にドラッグさせると、金種の変化が反転する。
【００８０】
こうして、操作者は、画像４４２ａに対応する金種が項目４４２ｂに表示されるまで、指をドラッグさせる。そして、画像４４２ａに対応する金種が項目４４２ｂに表示されると、操作者は、指を画面から離す。これにより、図９（ｂ）のように、項目４４２ｂに金種が設定される。このようにして、操作者は、複数の金種の候補の中から選択により画像４４２ａに適合する金種を入力できる。
【００８１】
このとき、操作者により金種が設定された項目４４２ｂは、図７のステップＳ１０８で金種が識別された項目４４２ｂと区別可能な形態で表示される。たとえば、操作者により金種が設定された項目４４２ｂは、他の項目４４２ｂ（金種が不明な項目、金種が識別された項目）とは異なる色が付されて表示される。なお、金種が不明な項目４４２ｂが、金種が識別された項目４４２ｂと異なる形態、たとえば、異なる色で表示されるようにしてもよい。
【００８２】
操作者は、金種が不明と識別された他の画像４４２ａについても、同様の操作により金種を設定する。また、操作者は、図７のステップＳ１０８で金種が識別された項目４４２ｂについても、適宜、上記と同様の操作により、金種を修正する。こうして、各画像４４２ａの金種が操作者により設定されると、これに応じて、領域４４１に表示される各金種の入金結果４４１ａが更新される。
【００８３】
なお、図９（ａ）、（ｂ）に示した例では、指をドラッグ（スライド）させることにより金種の候補が変更されたが、金種の候補を変化させる方法は、これに限られるものではない。たとえば、項目４４２ｂをタップするごと、あるいはフリックするごとに金種の候補が変化する構成であってもよい。
【００８４】
図７に戻り、制御部３０５は、入金処理画面４４０を表示させた後（Ｓ１１２）、金種受付処理（Ｓ１１３）を実行する。金種受付処理（Ｓ１１３）において、制御部３０５は、図９（ａ）、（ｂ）に示した操作を受け付け、操作者により当該操作がなされた場合に、上記のように、項目４４２ｂの金種を変更する。
【００８５】
ステップＳ１１３の処理とともに、制御部３０５は、入金処理画面４４０に対して、操作者により、やりなおし操作がなされたか否かを判定する（Ｓ１１４）。具体的には、制御部３０５は、入金処理画面４４０中のボタン４４３が操作者により操作されたか否かを判定する。
【００８６】
操作者は、処理対象の硬貨の一部を載置領域２１にセットし忘れた場合等、入金処理をやりなおす必要性を確認した場合、ボタン４４３を操作する。これにより、制御部３０５は、ステップＳ１１４でやりなおし操作がなされたと判定して（Ｓ１１４：ＹＥＳ）、処理をステップＳ１０１に戻す。これに応じて、特殊硬貨処理装置７のシャッター１２が開放される。これにより、操作者は、載置領域２１にアクセスして、硬貨入金のための操作をやりなおす。
【００８７】
やりなおし操作が行われることなく（Ｓ１１４：ＮＯ）、図８（ｄ）の入金処理画面４４０において、操作者により、全ての硬貨の画像４４２ａに対して金種が設定され、その後、処理を確定させるボタン４４４が操作されると（Ｓ１１５：ＹＥＳ）、制御部３０５は、入金確定処理を実行する（Ｓ１１６）。入金確定処理において、制御部３０５は、各硬貨の画像４４２ａ（複数の硬貨が含まれた撮像画像から切り出された画像）と項目４４２ｂに設定された金種（入力された金種）とを対応付けて、記憶部３０６に記憶させる。このとき同時に、制御部３０５は、領域４４１に示された入金結果４４１ａを記憶部３０６に記憶させる。
【００８８】
その後、入金確定処理において、制御部３０５は、通信部３０４を介して、処理の完了を示す通知を特殊硬貨処理装置７に送信する。このとき同時に、硬貨の種類も送信する。これに応じて、特殊硬貨処理装置７の制御部２０５は、ユニット駆動部２０３を制御して、硬貨振分ユニット１００の移動機構１３０を動作させる。
【００８９】
図１０（ａ）は、硬貨振分ユニット１００により載置領域２１の損貨が第１収納庫３１に振り分けられる様子を示す図であり、図１０（ｂ）は、硬貨振分ユニット１００により載置領域２１の記念貨が第２収納庫３２に振り分けられる様子を示す図である。
【００９０】
図１０（ａ）に示すように、制御部２０５は、硬貨の種類が損貨である場合、移動機構１３０の動作によって、載置部材１１０を右方向に移動させ、枠部材１２０を左方向に移動させる。載置領域２１に載置された複数枚の損貨Ｃ１が枠部材１２０に押されて左側に移動し、載置部材１１０の左端から落下し、仕切板１４の開口部１４ａを通って第１収納庫３１に収納される。
【００９１】
図１０（ｂ）に示すように、制御部２０５は、硬貨の種類が記念貨である場合、移動機構１３０の動作によって、載置部材１１０を左方向に移動させ、枠部材１２０を右方向に移動させる。載置領域２１に載置された複数枚の記念貨Ｃ２が枠部材１２０に押されて右側に移動し、載置部材１１０の右端から落下し、仕切板１４の開口部１４ｂを通って第２収納庫３２に収納される。
【００９２】
このようにして、入金確定処理が完了すると、硬貨の入金処理が終了する。
【００９３】
＜実施形態の効果＞
本実施形態によれば、以下の効果が奏され得る。
【００９４】
複数枚の硬貨を上下に重ならない状態で載置できる載置領域２１を備え、載置領域２１に載置された複数枚の硬貨が、それらの硬貨の種類に応じて第１収納庫３１または第２収納庫３２に導かれるように硬貨振分ユニット１００により振り分けられる。これにより、操作者は、入金対象となる同じ種類の硬貨が複数枚ある場合に、それら複数枚の硬貨を一度に載置領域２１に載置することができるので、入金操作が容易となる。
【００９５】
また、載置領域２１に載置された複数枚の硬貨がカメラ４０により撮像されるとともに、載置領域２１に載置された複数枚の硬貨に該当する硬貨の種類が設定される。そして、カメラ４０により撮像された画像に基づいて、載置領域２１に載置された複数枚の硬貨の中に設定された種類と異なる種類の硬貨が含まれているか否かが判定され、異なる種類の硬貨が含まれている場合に、確認要求画面４３０による報知が行われる。これにより、操作者は、間違った種類の硬貨を載置領域２１に載置した場合に、それに気づくことができ、その硬貨を載置領域２１から取り除くことができる。
【００９６】
さらに、載置領域２１に載置された複数枚の硬貨がカメラ４０により撮像され、撮像された画像から個々の硬貨の画像が切り出される。そして、画像が切り出された個々の硬貨に対する金種の入力が入金処理画面４４０により受け付けられ、切り出された画像と、その画像に対応する硬貨の金種とが紐付けられて記憶部３０６に記憶される。これにより、第１収納庫３１または第２収納庫３２に収納される複数枚の硬貨について、個々の硬貨ごとに、その画像と金種を記憶部３０６に記憶させておくことができる。
【００９７】
さらに、カメラ４０は、載置領域２１の全範囲を画角に含むので、載置領域２１に載置された複数枚の硬貨の全てを一度に撮像できる。これにより、複数枚の硬貨を撮像する時間を短縮できるので、入金時間を一層短縮できる。
【００９８】
以上、本発明の実施形態について説明したが、本発明は、上記実施形態によって何ら制限されるものではなく、また、本発明の実施形態も、上記以外に種々の変更が可能である。
【００９９】
＜変更例１＞
図１１（ａ）、（ｂ）は、変更例１に係る、特殊硬貨処理装置７の構成を示す斜視図である。図１２は、変更例１に係る、特殊硬貨処理装置７の構成を示す、図１１（ａ）のＡ−Ａ’で切断された断面図である。なお、図１２において、第１保留ユニット５００ａおよび第２保留ユニット５００ｂは、それぞれ、第１保留部５１および第２保留部５２のみが示されている。
【０１００】
図１１（ａ）、（ｂ）および図１２に示すように、変更例１の特殊硬貨処理装置７では、第１収納庫３１の上方に第１保留ユニット５００ａが設けられ、第２収納庫３２の上方に第２保留ユニット５００ｂが設けられる。第１保留ユニット５００ａは、硬貨振分ユニット１００により振り分けられた複数枚の硬貨（損貨）を、これら硬貨が第１収納庫３１に収納される前に保留できる第１保留部５１を含む。第２保留ユニット５００ｂは、硬貨振分ユニット１００により振り分けられた複数枚の硬貨（記念貨）を、これら硬貨が第２収納庫３２に収納される前に保留できる第２保留部５２を含む。第１保留部５１に保留された硬貨は第１収納庫３１へ排出でき、第２保留部５２に保留された硬貨は第２収納庫３２へ排出できる。第１保留部５１および第２保留部５２に保留された硬貨が返却される際には、第１保留部５１および第２保留部５２が筐体１０の前方へ引き出される。
【０１０１】
第１保留ユニット５００ａおよび第２保留ユニット５００ｂは、同じ構成であり、以下、これらの詳細な構成について説明する。
【０１０２】
図１３（ａ）〜（ｃ）は、変更例１に係る、第１保留ユニット５００ａ（第２保留ユニット５００ｂ）の構成を示す平面図である。図１４（ａ）、（ｂ）は、変更例１に係る、第１保留ユニット５００ａ（第２保留ユニット５００ｂ）の構成を示す断面図である。
【０１０３】
第１保留ユニット５００ａ（第２保留ユニット５００ｂ）はトレイ５１０を備える。トレイ５１０は、４つの支持ローラ５１１によって、前後方向に移動可能に支持されている。トレイ５１０の右側面には、ギア５１２が設けられ、このギア５１２にギア５１３が噛み合っている。ギア５１３は、図示しないモータによって駆動される。ギア５１３が駆動されることにより、トレイ５１０が、筐体１０の開口１７を介して、前後に移送される。トレイ５１０が最後方位置に位置付けられると、トレイ５１０前端の蓋部５１０ａによって、開口１７が閉塞される。
【０１０４】
トレイ５１０は、上面および後面が開放された箱形の形状である。トレイ５１０の底面には、前側の領域に開口５１０ｂが形成されている。トレイ５１０には、方形状の枠部材５２０が固定されている。枠部材５２０の下方に方形の板状の底面部材５３０が配置される。底面部材５３０は、支持板５４０の上面部に設置される。支持板５４０は、トレイ５１０に前後に移動可能に嵌め込まれる。枠部材５２０と底面部材５３０とが組み合わされることにより、上面が開口する箱状の第１保留部５１（第２保留部５２）が構成される。
【０１０５】
支持板５４０の後部には、前後に延びるようにラックギア５４１が設置されている。支持板５４０には開口５４０ａが形成され、この開口５４０ａを介してトレイ５１０にモータ５５０が設置されている。モータ５５０の駆動軸に設置されたギア５５１が、ラックギア５４１に噛み合っている。モータ５５０を駆動することにより、ラックギア５４１が前後に送られる。これにより、支持板５４０がトレイ５１０に対して前後方向に相対的に移動する。
【０１０６】
変更例１では、ギア５１３を駆動するモータおよび駆動回路を備えるトレイ駆動部(図示せず)と、モータ５５０および駆動回路を備える支持板駆動部（図示せず）とが、制御部２０５に接続され、制御部２０５により制御される。トレイ駆動部は、ギア５１３を駆動するモータを駆動して、トレイ５１０を移送する。支持板駆動部は、モータ５５０を駆動して、支持板５４０とともに底面部材５３０を移送する。
【０１０７】
第１保留部５１（第２保留部５２）に保留された硬貨が第１収納庫３１（第２収納庫３２）に収納される際には、図１４（ａ）に示すように、支持板５４０が後方に移送される。これにより、第１保留部５１（第２保留部５２）内の硬貨Ｃが、開口５１０ｂを介して、第１収納庫３１（第２収納庫３２）に落下する。図１３（ａ）に示すように、支持板５４０は、最後方位置まで移送される。これにより、第１保留部５１（第２保留部５２）内の全ての硬貨Ｃが第１収納庫３１（第２収納庫３２）に落下して収納される。
【０１０８】
第１保留部５１（第２保留部５２）に保留された硬貨が返却される際には、図１３（ｃ）および図１４（ｂ）に示すように、第１保留部５１（第２保留部５２）が筐体１０の外部に突出する位置に、トレイ５１０が移送される。これにより、操作者は、第１保留部５１（第２保留部５２）から硬貨Ｃを取り出すことができる。
【０１０９】
なお、第１保留部５１（第２保留部５２）に保留されている硬貨の枚数は、操作端末８の記憶部３０６に記憶される。第１保留部５１（第２保留部５２）対して硬貨が出し入れされる度に、記憶部３０６に記憶された第１保留部５１（第２保留部５２）内の硬貨の枚数が増減する。
【０１１０】
図１５は、変更例１に係る、特殊硬貨の入金処理を示すフローチャートである。図１６（ａ）は、変更例１に係る、入金処理画面４４０を示す図であり、図１６（ｂ）は、変更例１に係る、入金処理画面４４０にポップアップ表示された報知画面４５０を示す図である。図１７（ａ）〜（ｆ）は、変更例１に係る、載置領域２１に載置された複数枚の硬貨が、硬貨振分ユニット１００により振り分けられて第１保留部５１または第２保留部５２に保留される様子、および、第１収納庫３１または第２収納庫３２に収納される様子を示す図である。
【０１１１】
なお、変更例１の入金処理では、図７に示す上記実施形態の入金処理に対して、ステップＳ１２１ないしＳ１２６の処理が付加されている。また、図１５のフローチャートでは、ステップＳ１０１〜Ｓ１１２の処理が省略されている。
【０１１２】
以下、上記実施形態の入金処理から追加された処理について説明する。
【０１１３】
変更例１では、図１６（ａ）に示すように、入金処理画面４４０に、全てやりなおしのボタン４４５と、追加のボタン４４６とが含まれる。
【０１１４】
変更例１では、第１保留部５１または第２保留部５２に、先に金種の入力を終えた硬貨が保留されている場合であって、これら保留された硬貨を含めて入金処理をやりなおす場合に、操作者は、ボタン４４５を操作する。制御部３０５は、全てやりなおす操作がなされたと判定し（Ｓ１１４：ＹＥＳ→Ｓ１２１：ＹＥＳ）、保留された硬貨を返却する指示を特殊硬貨処理装置７の制御部２０５に送信する（Ｓ１２２）。制御部２０５からの制御により、図１４（ｂ）のように、第１保留部５１または第２保留部５２が外部に引き出され、硬貨の取出しが可能となる。その後、制御部３０５は、処理をステップＳ１０１に戻す。これにより、特殊硬貨処理装置７のシャッター１２が開放し、再度の硬貨の入金が可能となる。
【０１１５】
なお、第１保留部５１および第２保留部５２うち載置領域２１に載置された硬貨の保留対象となる保留部に硬貨がない場合は、ボタン４４５による全てやりなおしの操作は、制御部３０５に受け付けられない。
【０１１６】
さらに、変更例１では、たとえば、同時に入金処理を行いたい同じ種類（損貨、記念貨）の硬貨が残っているため、今回、金種を入力した硬貨を保留しておきたい場合に、操作者は、追加のボタン４４６を操作する。これにより、制御部３０５は、追加の操作がなされたと判定すると（Ｓ１２３：ＹＥＳ）、載置領域２１に載置された複数枚の硬貨が、第１保留部５１および第２保留部５２のうち、保留対象となる保留部に保留可能であるか否かを判定する（Ｓ１２４）。
【０１１７】
制御部３０５は、載置領域２１に載置された複数枚の硬貨を加えても収納可能な量（枚数）を超えず、保留可能である場合（Ｓ１２４：ＹＥＳ）、保留の指示を特殊硬貨処理装置７の制御部２０５に送信する（Ｓ１２５）。制御部２０５からの制御により、載置領域２１に載置された複数枚の硬貨が損貨Ｃ１であれば、図１７（ａ）のように、それら損貨Ｃ１が硬貨振分ユニット１００に振り分けられて第１保留部５１に保留され、載置領域２１に載置された複数枚の硬貨が記念貨Ｃ２であれば、図１７（ｂ）のように、それら記念貨Ｃ２が硬貨振分ユニット１００に振り分けられて第２保留部５２に保留される。
【０１１８】
一方、既に保留対象となる保留部に硬貨が保留されている場合には、載置領域２１に載置された複数枚の硬貨が加えられると収納可能な量（枚数）を超える場合が生じ得る。これにより、保留不可能と判定された場合（Ｓ１２４：ＮＯ）、制御部３０５は、ボタン４４６による追加の操作を受け付けず（無効とし）、保留不可の旨を報知するため、図１６（ｂ）に示すように、操作表示部３０１に、報知画面４５０を入金処理画面４４０上に重なるように表示させる（Ｓ１２６）。
【０１１９】
第１保留部５１または第２保留部５２に硬貨が保留された状態で、次に載置領域２１に載置された硬貨について入金処理画面４４０での金種の入力が完了した後に、確定の操作がなされると（Ｓ１１５：ＹＥＳ）、制御部３０５は、入金確定処理を行い、第１保留部５１または第２保留部５２に保留された硬貨と、載置領域２１に載置されている硬貨について、画像と金種とを紐付けて記憶部３０６に記憶する（Ｓ１１６）。このとき、これら硬貨に同じ取引番号が付される。
【０１２０】
さらに、制御部３０５は、処理の完了を示す通知を特殊硬貨処理装置７の制御部２０５に送信する。処理対象が損貨Ｃ１である場合、制御部２０５からの制御により、図１７（ｃ）のように、底面部材５３０が後方に移動して第１保留部５１から複数枚の損貨Ｃ１が排出され、第１収納庫３１に収納される。その後、図１７（ｄ）のように、第１保留部５１は排出可能な状態のままとされ、載置領域２１に載置された複数枚の損貨Ｃ１が、硬貨振分ユニット１００に振り分けられて第１保留部５１を通過し、第１収納庫３１に収納される。同様に、処理対象が記念貨Ｃ２である場合、制御部２０５からの制御により、図１７（ｅ）のように、第２保留部５２から複数枚の記念貨Ｃ２が排出されて第２収納庫３２に収納され、その後、図１７（ｆ）のように、載置領域２１に載置された複数枚の記念貨Ｃ２が、硬貨振分ユニット１００に振り分けられて第２保留部５２を通過し、第２収納庫３２に収納される。
【０１２１】
なお、最初に載置領域２１に載置された複数枚の硬貨について金種の入力が完了した後に確定のボタン４４４が操作された場合は、第１保留部５１および第２保留部５２に硬貨が存在しないため、図１７（ｄ）、（ｆ）のように、載置領域２１に載置された複数枚の硬貨が、硬貨振分ユニット１００に振り分けられて第１保留部５１または第２保留部５２を通過し、第１収納庫３１または第２収納庫３２に収納される動作のみが行われることになる。
【０１２２】
変更例１においても、上記実施形態と同様の効果が奏され得る。
【０１２３】
さらに、変更例１では、載置領域２１に一度に載置しきれない複数枚の同じ種類の硬貨が入金される場合に、最初に載置領域２１に載置された硬貨を、第１保留部５１または第２保留部５２に保留しておき、載置領域２１に載置された残りの硬貨と一緒に第１収納庫３１または第２収納庫３２に収納することができる。よって、残りの硬貨を入金しているときには、先の硬貨は保留状態にあるため、このときに必要となれば、全ての硬貨について入金のやりなおしが可能となる。
【０１２４】
さらに、変更例１では、載置領域２１に載置された複数枚の硬貨を、容量オーバーにより第１保留部５１および第２保留部５２に保留できないときは、ボタン４４５の操作、即ち保留のための操作が受け付けられないので、第１保留部５１および第２保留部５２に硬貨が詰まってしまい入金処理が中断されてしまうことが防止される。
【０１２５】
なお、変更例１において、第１保留部５１および第２保留部５２に硬貨を保留できないときは、入金処理画面４４０において、追加のボタン４４６がグレーアウトされるか消去されるかすることにより、保留のための操作が受け付けられないようにしてもよい。また、第１保留部５１および第２保留部５２に硬貨がないときには、入金処理画面４４０において、全てやりなおしのボタン４４５がグレーアウトされるか消去されるかすることにより、全てやりなおしの操作が受け付けられないようにしてもよい。
【０１２６】
＜変更例２＞
図１８は、変更例２に係る、特殊硬貨処理装置７の断面図である。
【０１２７】
特殊硬貨処理装置７に、載置部材１１０と枠部材１２０とを相反する方向に移動させる構成の硬貨振分ユニット１００に代えて、ベルトコンベア式の硬貨振分ユニット６００を用いることができる。この場合、硬貨振分ユニット６００が、特許請求の範囲に記載の「振分部」に対応する。
【０１２８】
図１８に示すように、変更例２の硬貨振分ユニット６００は、第１プーリ６１０と、第２プーリ６２０と、ベルト６３０と、モータ６４０と、プーリ軸６５０とを含む。第１プーリ６１０と第２プーリ６２０は、左右方向に所定の間隔を開けて配置される。ベルト６３０は、第１プーリ６１０と第２プーリ６２０の間に架け渡される。ベルト６３０の前後の幅は、上記実施形態の載置部材１１０の前後方向の幅とほぼ同じとされており、第１プーリ６１０と第２プーリ６２０の間隔は、ベルト６３０の水平な部分の左右方向の長さが上記実施形態の載置部材１１０の左右方向の幅とほぼ同じになる間隔とされている。これにより、収容室２０内に現れるベルト６３０の部分によって、載置領域２１が構成される。モータ６４０は、第１プーリ６１０に接続され、第１プーリ６１０を回転駆動する。プーリ軸６５０は、第２プーリ６２０を回転可能に支持する。モータ６４０とプーリ軸６５０は、図示しない取付板に取り付けられる。
【０１２９】
収容室２０の底部の左側面と右側面には、硬貨振分ユニット６００の上方に、それぞれ、開閉自在な第１扉２２および第２扉２３により閉塞される第１開口２４および第２開口２５が設けられる。第１扉２２および第２扉２３には、各扉が収容室２０の外側に開かず、第１開口２４および第２開口２５を閉じた状態に維持できるように、ロック装置６０が設けられている。ロック装置６０は、ソレノイドコイルが内蔵された本体部６１と、ソレノイドコイルのオン、オフにより本体部６１に対して出入りするプランジャ６２とを含む。ロック装置６０がロック状態にあるときには、プランジャ６２が本体部６１から突出している。左側のロック装置６０では、プランジャ６２の先端が第１扉２２に左方から当接し、右側のロック装置６０では、プランジャ６２の先端が第２扉２３に右方から当接する。
【０１３０】
制御部２０５には、ユニット駆動部２０３に代えて、モータ６４０および駆動回路を備えるユニット駆動部（図示せず）が接続され、制御部２０５により制御される。また、制御部２０５には、２つのロック装置６０を駆動するためのロック装置駆動部（図示せず）が接続され、制御部２０５より制御される。
【０１３１】
図１９（ａ）は、変更例２に係る、硬貨振分ユニット６００により載置領域２１の損貨が第１収納庫３１に振り分けられる様子を示す図であり、図１９（ｂ）は、変更例２に係る、硬貨振分ユニット６００により載置領域２１の記念貨が第２収納庫３２に振り分けられる様子を示す図である。
【０１３２】
載置領域２１に載置された複数枚の損貨が第１収納庫３１に収納される際、制御部２０５は、ユニット駆動部を制御して、モータ６４０を、前方から見て左回りに回転させる。また、制御部２０５は、ロック装置駆動部を制御して、左側のロック装置６０のロック状態を解除する。図１９（ａ）に示すように、モータ６４０が左回りに回転すると、ベルト６３０が左回りに周回する。また、左側のロック装置６０ではプランジャ６２が突出しない状態となり、第１扉２２が、左方に開くことができる状態になる。載置領域２１に載置された損貨Ｃ１は、ベルト６３０により左方向に移送される。損貨Ｃ１に押されて第１扉２２が開き、第１開口２４から収容室２０の外へ損貨Ｃ１が放出されて落下し、第１収納庫３１に収納される。
【０１３３】
載置領域２１に載置された複数枚の記念貨が第２収納庫３２に収納される際、制御部２０５は、ユニット駆動部を制御して、モータ６４０を、前方から見て右回りに回転させる。また、制御部２０５は、ロック装置駆動部を制御して、右側のロック装置６０のロック状態を解除する。図１９（ｂ）に示すように、モータ６４０が右回りに回転すると、ベルト６３０が右回りに周回する。また、右側のロック装置６０ではプランジャ６２が突出しない状態となり、第２扉２３が、右方に開くことができる状態になる。載置領域２１に載置された記念貨Ｃ２は、ベルト６３０により右方向に移送される。記念貨Ｃ２に押されて第２扉２３が開き、第２開口２５から収容室２０の外へ記念貨Ｃ２が放出されて落下し、第２収納庫３２に収納される。
【０１３４】
なお、変更例２の特殊硬貨処理装置７に、変更例１と同様、第１保留ユニット５００ａと第２保留ユニット５００ｂとが備えられてもよい。
【０１３５】
＜変更例３＞
図２０は、変更例３に係る、特殊硬貨処理装置７の断面図である。
【０１３６】
特殊硬貨処理装置７に、上記実施形態の硬貨振分ユニット１００に代えて、以下に説明する硬貨振分ユニット７００を用いることができる。この場合、硬貨振分ユニット７００が、特許請求の範囲に記載の「振分部」に対応する。
【０１３７】
図２０に示すように、変更例３の硬貨振分ユニット７００は、載置部材７１０と、モータ７２０とを含む。載置部材７１０は、方形の板状を有し、収容室２０の底部に配置される。載置部材７１０の上面（表面）が、載置領域２１を構成する。載置部材７１０には、後端部における左右方向の中央部に回転軸７１１が設けられる。モータ７２０は、仕切壁１５の後方に配置され、その駆動軸７２１が仕切壁１５の前方に突き出して回転軸７１１に連結される。モータ７２０は、載置部材７１０を駆動して、左側に傾く方向と右側に傾く方向とに揺動させる。
【０１３８】
制御部２０５には、ユニット駆動部２０３に代えて、モータ７２０および駆動回路を備えるユニット駆動部（図示せず）が接続され、制御部２０５により制御される。  図２１（ａ）は、変更例３に係る、硬貨振分ユニット７００により載置領域２１の損貨が第１収納庫３１に振り分けられる様子を示す図であり、図２１（ｂ）は、変更例３に係る、硬貨振分ユニット７００により載置領域２１の記念貨が第２収納庫３２に振り分けられる様子を示す図である。
【０１３９】
載置領域２１に載置された複数枚の損貨が第１収納庫３１に収納される際、制御部２０５は、ユニット駆動部を制御して、モータ７２０を、前方から見て左回りに所定の回転角だけ回転させる。図２１（ａ）に示すように、載置部材７１０が左側に所定の角度だけ傾く。載置領域２１に載置された損貨Ｃ１は、傾斜面となった載置領域２１を滑って左方向に移動し、載置部材７１０と収容室２０の左側壁との間に生じた隙間から放出されて落下し、第１収納庫３１に収納される。
【０１４０】
載置領域２１に載置された複数枚の記念貨が第２収納庫３２に収納される際、制御部２０５は、ユニット駆動部を制御して、モータ７２０を、前方から見て右回りに所定の回転角だけ回転させる。図２１（ｂ）に示すように、載置部材７１０が右側に所定の角度だけ傾く。載置領域２１に載置された記念貨Ｃ２は、傾斜面となった載置領域２１を滑って右方向に移動し、載置部材７１０と収容室２０の右側壁との間に生じた隙間から放出されて落下し、第２収納庫３２に収納される。
【０１４１】
なお、変更例３の特殊硬貨処理装置７に、変更例１と同様、第１保留ユニット５００ａと第２保留ユニット５００ｂとが備えられてもよい。
【０１４２】
＜変更例４＞
上記実施形態の特殊硬貨処理装置７において、カメラ４０は、上方から見て載置領域２１のほぼ中心に位置しており、載置領域２１の全範囲を撮像可能である。しかしながら、載置領域２１における外周領域は、カメラ４０から遠くなるため、カメラ４０で撮像された画像は、この外周領域において、歪が生じる等、画質が劣化しやすい。よって、載置領域２１全体に複数枚の硬貨が載置された場合、外周領域の硬貨の画像は不鮮明になりやすいので、記憶された硬貨の画像を確認する際に見にくくなったり、画像認識によって金種を自動判別しにくくなったりしやすい。
【０１４３】
そこで、変更例４では、特殊な硬貨の入金処理に、上記実施形態で説明された、載置領域２１全体に硬貨を載置できる通常のモードとは異なるモードとして、撮影された硬貨の画像の画質と金種判別を重視するために載置領域２１の中で硬貨が載置される領域を制限する画質・金種判別重視モードが設けられる。通常のモードは、載置領域２１に載置される硬貨の枚数を重視するための枚数重視モードと言い換えることができる。枚数重視モードと画質・金種判別重視モードとの間の切り替えは、たとえば、操作端末８の操作表示部３０１に表示される所定の設定画面において行うことができる。
【０１４４】
図２２は、変更例４に係る、特殊硬貨処理装置７の構成を示す斜視図である。
【０１４５】
図２２に示すように、特殊硬貨処理装置７には、載置領域２１に、画質・金種判別重視モードにおいて硬貨を載置できる領域を示す枠２１ａが描かれる。
【０１４６】
図２３（ａ）は、変更例４に係る、枚数重視モードで表示されるセット要求画面４２０Ａを示す図であり、図２３（ｂ）は、変更例４に係る、画質・金種判別重視モードで表示されるセット要求画面４２０Ｂを示す図であり、図２３（ｃ）は、変更例４に係る、画質・金種判別重視モードで表示される確認要求画面４６０を示す図である。
【０１４７】
枚数重視モードに設定されている場合、制御部３０５は、図７示す入金処理のステップＳ１０２において、枚数重視モードのセット要求画面４２０Ａを操作表示部３０１に表示させる。図２３（ａ）に示すように、セット要求画面４２０Ａには、領域４２２に、現在のモードが枚数重視モードであることを示す画像４２２ｂと、載置領域２１全体を使用して硬貨を載置することを促す画像４２２ｃが含まれる。セット要求画面４２０Ａのその他の構成は、上記実施形態のセット要求画面４２０と同様である。
【０１４８】
一方、画質・金種別重視モードに設定されている場合、制御部３０５は、図７示す入金処理のステップＳ１０２において、画質・金種別重視モードのセット要求画面４２０Ｂを操作表示部３０１に表示させる。図２３（ｂ）に示すように、セット要求画面４２０Ｂには、領域４２２に、現在のモードが画質・金種別重視モードであることを示す画像４２２ｄと、載置領域２１の枠２１ａ内に硬貨を載置することを促す画像４２２ｅが含まれる。また、領域４２３に、載置領域２１の枠２１ａ内に硬貨を載置することを促すメッセージ４２３ｂが含まれる。セット要求画面４２０Ｂのその他の構成は、上記実施形態のセット要求画面４２０と同様である。
【０１４９】
また、画質・金種別重視モードに設定されている場合、制御部３０５は、図７示す入金処理のステップＳ１０７で撮像画像から各硬貨の画像を切り出すとき、枠２１ａから外れた領域に硬貨が存在するか否かを判定する。そして、制御部３０５は、枠２１ａから外れた領域に硬貨が存在すれば、確認要求画面４６０を操作表示部３０１に表示させる。
【０１５０】
図２３（ｃ）に示すように、領域４６１には、図２３（ａ）、（ｂ）の領域４２１と同様の画像が含まれる。領域４６２には、カメラ４０による全体の撮像画像４６２ａが表示され、その中で枠２１ａの外に載置されている硬貨の画像が円４６２ｂで囲まれる。領域４６３には、枠２１ａの外に存在している硬貨を取り除くことを促すメッセージ４６３ａと、ボタン４６４が含まれる。
【０１５１】
操作者により、確認要求画面４６０のボタン４６４が操作されると、制御部３０５は、処理をステップＳ１０１に戻す。これにより、特殊硬貨処理装置７のシャッター１２が開放されて、誤った領域に配置された硬貨を取り除くことが可能となる。
【０１５２】
変更例４によれば、枚数重視モードが選択された場合、操作者は、一度に多くの枚数の硬貨について、入金処理を行うことができる。また、画質・金種判別重視モードが選択された場合、画質の良い硬貨の画像を、その硬貨の金種に紐付けて記憶部３０６に記憶できるので、操作者は、記憶された硬貨の画像を確認しやすくなるほか、後に硬貨の画像を確認しやすく、また、画像認識によって金種を自動判別しやすくなる。さらに、金種が判別される硬貨の枚数が少なくなるので、判別に要する時間が短くなる。
【０１５３】
なお、枚数重視モードにおいて、制御部３０５は、ステップＳ１０７において、撮像画像から全ての硬貨の画像を切り出すが、切り出した硬貨の画像のうち、枠２１ａ内に配置された硬貨の画像のみをステップＳ１０８での金種の自動判別の対象とするようにしてもよい。この場合、金種が判別されなかった硬貨について、図８（ｄ）の入金処理画面４４０では、領域４４２の項目４４２ｂに“？”の記号が表示される。
【０１５４】
また、変更例４において、特殊硬貨処理装置７が、入金処理において、硬貨の画像から金種を自動判別しない構成とされてもよい。この場合、画質・金種判別重視モードは、画質重視モードとなる。この構成の場合も、画質重視モードが選択されれば、画質の良い硬貨の画像を、その硬貨の金種に紐付けて記憶部３０６に記憶できる。
【０１５５】
＜その他の変更例＞
上記実施形態では、載置領域２１に、複数枚の硬貨が上下に重ならない状態で載置されることとした。しかしながら、載置領域２１には複数枚の硬貨が上下に重なった状態で載置されることとしてもよい。
【０１５６】
また、上記実施形態では、カメラ４０により硬貨の片面（表面）のみが撮像された。しかしながら、特殊硬貨処理装置７は、カメラ４０を用いて、硬貨の両面（表面および裏面）が撮像される構成とされてもよく、さらに、硬貨の側面が撮像される構成とされてもよい。
【０１５７】
さらに、上記実施形態では、操作端末８は、タッチパネルを備える操作表示部３０１を備えた。しかしながら、操作端末８に、操作表示部３０１に替えて、ディスプレイ、キーボードおよびマウスが備えられてもよい。
【０１５８】
また、上記実施形態では、操作表示部３０１が特殊硬貨処理装置７と別体であり、操作端末８の制御部３０５と特殊硬貨処理装置７の制御部２０５により図７の処理が行われた。しかしながら、操作表示部３０１が特殊硬貨処理装置７に一体的に設けられ、図７の処理が、制御部２０５のみによって行われてもよい。この場合、特殊硬貨処理装置７の記憶部２０６に、硬貨画像データベースが保持される。この構成では、特殊硬貨処理装置７が、特許請求の範囲に記載の「硬貨処理装置」に対応する。
【０１５９】
また、上記実施形態の構成において、図７の処理が、特殊硬貨処理装置７の制御部２０５のみによって行われてもよい。この場合、操作端末８の操作表示部３０１は、単に、画面の表示および操作入力の受け付けのために用いられる。この場合も、特殊硬貨処理装置７の記憶部２０６に、硬貨画像データベースが保持される。
【０１６０】
また、特殊硬貨処理装置７が、タブレット端末やスマートフォンとの通信機能を有し、タブレット端末等の表示機能、操作機能を用いて、特殊硬貨処理装置７への特殊な硬貨の入金処理が行われてもよい。
【０１６１】
また、上記変更例１では、図１５に示す入金処理のステップＳ１２６において、第１保留部５１および第２保留部５２に硬貨が保留できない旨が、図１６（ｂ）に示す報知画面４５０により報知された。しかしながら、このような保留不可能の報知の形態はこれに限られるものではない。たとえば、音声やランプの点灯等の他の報知手段によって、保留不可能の旨が操作者に報知されてもよい。
【０１６２】
さらに、上記実施形態において、特殊硬貨処理装置７に、特殊な硬貨として、外国硬貨を入金できてもよい。また、特殊硬貨に限らず、通常の硬貨を処理する硬貨処理装置に本発明が適用されてもよい。
【０１６３】
さらに、上記実施形態では、硬貨振分ユニット１００が載置領域２１に載置された硬貨を第１収納庫３１または第２収納庫３２へ振り分ける構成とした。しかしながら、載置領域２１に載置された硬貨の種類に応じて第１収納庫３１または第２収納庫３２が載置領域２１の下方に位置するよう移動し、下方に移動した収納庫に載置領域２１の硬貨が落下するようにされることで、第１収納庫３１または第２収納庫３２へ硬貨が振り分けられるようにしてもよい。この場合、第１収納庫３１と第２収納庫３２を移動させる機構と、載置領域２１から硬貨を落下させる機構とが設けられることとなる。
【０１６４】
この他、本発明の実施形態は、特許請求の範囲に記載の範囲で適宜変更可能である。
【符号の説明】
【０１６５】
７  特殊硬貨処理装置（硬貨処理装置）
８  操作端末（硬貨処理装置）
２１  載置領域
３１  第１収納庫（第１収納部）
３２  第２収納庫（第２収納部）
４０  カメラ（撮像部）
５１  第１保留部
５２  第２保留部
１００  硬貨振分ユニット（振分部）
２０５  制御部
３０５  制御部
３０６  記憶部
４２４  ボタン（入力部）
４２５  ボタン（入力部）
６００  硬貨振分ユニット（振分部）
７００  硬貨振分ユニット（振分部）
【図１】
2020160631.tif 000003
【図２】
2020160631.tif 000004
【図３】
2020160631.tif 000005
【図４】
2020160631.tif 000006
【図５】
2020160631.tif 000007
【図６】
2020160631.tif 000008
【図７】
2020160631.tif 000009
【図８】
2020160631.tif 000010
【図９】
2020160631.tif 000011
【図１０】
2020160631.tif 000012
【図１１】
2020160631.tif 000013
【図１２】
2020160631.tif 000014
【図１３】
2020160631.tif 000015
【図１４】
2020160631.tif 000016
【図１５】
2020160631.tif 000017
【図１６】
2020160631.tif 000018
【図１７】
2020160631.tif 000019
【図１８】
2020160631.tif 000020
【図１９】
2020160631.tif 000021
【図２０】
2020160631.tif 000022
【図２１】
2020160631.tif 000023
【図２２】
2020160631.tif 000024
【図２３】
2020160631.tif 000025